(57)【要約】【課題】低価格であって、動作状況等を簡易な仕組みで的確に表現できるとともに、きめ細やかな指示・操作が可能であって、光ディスク装置と着脱可能な表示装置及び表示入力装置を提供する。【解決手段】光ディスク装置１００の動作状況を表示する表示装置２００であって、前記表示装置２００は、前記光ディスク装置１００に着脱可能であることを特徴とし、前記表示装置２００は、発光素子９によって前記動作状況を出力することを特徴とする。また、前記発光素子９は複数個であって、前記動作状況は点灯と消灯の組合せよって表現されることを特徴とする。【選択図】図１
2008010054.tif 000002
【特許請求の範囲】
【請求項１】
光ディスク装置の動作状況を表示する表示装置であって、
前記表示装置は、前記光ディスク装置に着脱可能であることを特徴とする、表示装置。
【請求項２】
前記表示装置は、発光素子によって前記動作状況を出力することを特徴とする、請求項１に記載の表示装置。
【請求項３】
光ディスク装置に対して着脱可能な表示入力装置であって、
前記表示入力装置には、前記光ディスク装置に対する所望の要求が入力され、第１の通信路を介して前記光ディスク装置に出力され、前記光ディスク装置から前記要求に対する応答が第２の通信路を介して入力され、当該応答が出力される表示入力手段が形成されることを特徴とする、表示入力装置。
【請求項４】
前記表示入力装置は、発光素子によって前記動作状況を出力することを特徴とする、請求項３に記載の表示入力装置。
【請求項５】
前記表示入力装置は、液晶ディスプレイによって前記動作状況を表示することを特徴とする、請求項３に記載の表示入力装置。
【請求項６】
前記発光素子は複数個であって、前記動作状況は点灯と消灯の組合せよって表現されることを特徴とする、請求項２または４に記載の表示入力装置。
【発明の詳細な説明】
【技術分野】
【０００１】
本発明は、表示装置及び表示入力装置に関し、特に光ディスクの動作状況等を詳細に表示できる光ディスク装置用の表示装置に関する。
【背景技術】
【０００２】
図１１に示すように、ＣＤ（Compact Disc）やＤＶＤ（Digital Versatile Disc）などのディスク状記録媒体（以下、光ディスクという。）を駆動する光ディスク装置６００の前面には、一般的に、外部から光ディスク装置６００へのアクセス状況等を点灯、消灯等によって表現するアクセスランプ４５と、ディスクトレイ４６を排出する排出ボタン４７と、光ディスク装置６００の前面を覆うトレイベゼル（化粧板）４９が形成されている。
【０００３】
このように、光ディスク装置の前面は製造コストを低減するために単純質素な構成を有している。また、上述した構成以外にも、特許文献１に示すように、光ディスク装置に表示部を設け、光ディスクの面振れ量に関する情報を表示するものも知られている。
【特許文献１】特開２００２−１７０２５１号公報
【発明の開示】
【発明が解決しようとする課題】
【０００４】
しかしながら、１つのアクセスランプでは、光ディスク装置に存在する多数の動作状況を的確に表現することができないという問題がある。また、排出ボタンは、ユーザからの指示を受け、ディスクトレイを排出するためだけの機能を有するのみであるため、光ディスク装置に対するそれ以外の指示、例えば、音楽ＣＤの再生指示等は、当然に行うことができない。
【０００５】
さらに、近年、ＰＣ（Personal Computer）やその周辺機器に対するユーザの嗜好は千差万別であり、光ディスク装置の単純質素な印象に必ずしも満足しているとは限らない。ユーザによっては、装飾的な光ディスク装置を好む可能性もあるし、また、制御盤のような、光ディスクの動作状況を詳細に表示する表示部や的確な指示が可能な指示インタフェースを備えた光ディスク装置を好む可能性もある。
【０００６】
このような問題点に対しては、ＰＣ（Personal Computer）等の入出力装置に組み込まれたアプリケーションソフト等により表示装置（ディスプレイ）の画面（デスクトップ）上で擬似的に実現可能であるが、現実に光ディスク装置の前面を変更・改造することは多大なコストがかかり、さらには、光ディスク装置の製品価格が高騰してしまうという問題点があって、事実上不可能である。さらに、単純質素な光ディスク装置を好むユーザにとってはこのような変更等は好ましくなく、装飾的な光ディスク装置を好むユーザとの共用・共存は難しい。
【０００７】
本発明はこのような問題点に鑑みてなされたものであり、低価格であって、動作状況等を簡易な仕組みで的確に表現できるとともに、きめ細やかな指示・操作が可能であって、光ディスク装置と着脱可能な表示装置及び表示入力装置を提供する。
【課題を解決するための手段】
【０００８】
上述した問題点を解決するために、本発明の表示装置は、光ディスク装置の動作状況を表示する表示装置であって、前記表示装置は、前記光ディスク装置に着脱可能であることを特徴とする。このような構成により、光ディスク装置の前面に改造等を加えなくても、外部に配置される表示装置によって、光ディスク装置の動作状況を出力することができる。
【０００９】
また、本発明は、前記表示装置が、発光素子によって前記動作状況を出力することを特徴とする。発光素子を点灯または消灯させることで、光ディスク装置の動作状況を表現することができる。
【００１０】
また、本発明の表示入力装置は、光ディスク装置に対して着脱可能な表示入力装置であって、前記表示入力装置には、前記光ディスク装置に対する所望の要求が入力され、第１の通信路を介して前記光ディスク装置に出力され、前記光ディスク装置から前記要求に対する応答が第２の通信路を介して入力され、出力される表示入力手段が形成されることを特徴とする。このような構成により、光ディスク装置の前面に改造等を加えなくても、外部に配置される表示入力装置によって、光ディスク装置に対し所望の要求が可能となり、さらには、当該要求に対する光ディスク装置の状況を出力させることができる。
【００１１】
また、本発明は、前記表示入力装置が、発光素子によって前記動作状況を出力することを特徴とする。発光素子を点灯または消灯させることで、光ディスク装置の動作状況を表現することができる。
【００１２】
また、本発明は、前記表示入力装置が、液晶ディスプレイによって前記動作状況を表示することを特徴とする。液晶ディスプレイを使用することで、詳細な表示が可能となる。
【００１３】
前記発光素子は複数個であって、前記動作状況は点灯と消灯の組合せよって表現されることを特徴とする。発光素子が複数個使用されることで、点灯と消灯による出力は複数の組合せが可能となり、点灯または消灯という簡易な仕組みによって、光ディスク装置の多くの状況を表現することが可能となる。
【発明の効果】
【００１４】
本発明に係る表示装置または表示入力装置によれば、光ディスク装置の前面に改造等の加工を施さなくても、低価格であって、動作状況を的確に表現できるとともに、きめ細やかな指示・操作が可能となる。
【発明を実施するための最良の形態】
【００１５】
以下、本発明の実施の形態について、図面を参照して具体的に説明する。
【００１６】
（第１実施形態）
図１は、本発明の第１実施形態にかかる光ディスク装置１００を模式的に示す側面図である。図１において、光ディスク装置１００には、ＡＴＡ(Advanced Technology Attachment)やＵＳＢ（Universal Serial Bus）等で規格化された通信路１を介してマザーボード３が接続されている。マザーボード３はプリント回路基板であって、ＰＣ等の入出力装置を制御する図示しない制御装置が設けられている。入出力装置は当該通信路１を介して光ディスク装置１００にアクセスし、光ディスクに記録されるデータの送受信等を行う。
【００１７】
また、光ディスク装置１００の背面には、光ディスク装置１００の動作状況を出力する３個の出力端子５ａ、５ｂ、５ｃが天井面から底面にかけて並んで配置されている。これらの出力端子５ａ〜５ｃの一方は、光ディスク装置１００に内蔵される制御回路基板７に接続され、他方は、外部に配置される表示装置（以下、外部表示装置という。）２００に接続される。
【００１８】
外部表示装置２００は光ディスク装置１００の動作状況をユーザに認識させる装置である。外部表示装置２００の前面には、ＬＥＤ（Light Emitting Diode）等で構成された３個の発光素子９ａ、９ｂ、９ｃが天井面から底面にかけて並んで配置されている。これらの発光素子９ａ〜９ｃは、外部表示装置２００に内蔵される制御回路基板１１に接続される。
【００１９】
より詳しくは、制御回路基板１１にはＣＰＵ等の制御部１３と、制御部１３とデータの送受信を行うＳＲＡＭ(Static Random Access Memory)やフラッシュメモリ等の記憶部１５と、制御部１３からの信号によって発光素子９ａ、９ｂ、９ｃを制御する周辺制御ＩＣ（Integrated Circuit）１７とが搭載され、上述した発光素子９ａ、９ｂ、９ｃは周辺制御ＩＣ１７に接続される。
【００２０】
また、外部表示装置２００の背面には、光ディスク装置１００から通信路１８ａ、１８ｂ、１８ｃを介して動作状況が入力される３個の入力端子１９ａ、１９ｂ、１９ｃが天井面から底面にかけて並んで配置されている。これらの入力端子１９ａ〜１９ｃの一方は、上述した制御回路基板１１に搭載される周辺制御ＩＣ１７に接続され、他方は、光ディスク装置１００の出力端子５ａ、５ｂ、５ｃに接続される。
【００２１】
すなわち、図１に示すように、出力端子５ａには入力端子１９ａが、出力端子５ｂには入力端子１９ｂが、出力端子５ｃには入力端子１９ｃがそれぞれ接続される。したがって、光ディスク装置１００の出力端子５ａ、５ｂ、５ｃから出力された動作状況を示す信号は外部表示装置２００の入力端子１９ａ、１９ｂ、１９ｃを介して、周辺制御ＩＣ１７に入力し、当該信号に基づいて発光素子９ａ、９ｂ、９ｃを制御する。
【００２２】
続いて、光ディスク装置１００及び外部表示装置２００の動作について図２を参照して説明する。
【００２３】
図２は、出力端子５ａ、５ｂ、５ｃの出力と光ディスク装置１００の状態との関係を示す表である。図２において、「Ｌ」は出力端子５ａ、５ｂ、５ｃから動作状況を示す信号が出力されていない状態を表し、「Ｈ」は出力端子５ａ、５ｂ、５ｃから動作状況を示す信号が出力されている状態を表している。
【００２４】
例えば、出力端子５ａ、５ｂ、５ｃから動作状況を示す信号がまったく出力されていない場合、すなわち、図２において出力端子５ａが「Ｌ」、出力端子５ｂが「Ｌ」、出力端子５ｃが「Ｌ」である場合、発光素子９ａ〜９ｃはすべて消灯することになり、ユーザは光ディスク装置１００の状態が「異常状態」であることが分かる。また、出力端子５ａが「Ｈ」、出力端子５ｂが「Ｈ」、出力端子５ｃが「Ｌ」である場合、発光素子９ａ、９ｂが点灯、発光素子９ｃが消灯することになり、ユーザは光ディスク装置１００の状態が「ディスク有り（読込中）」であることが分かる。
【００２５】
このように、３個の出力端子５ａ、５ｂ、５ｃによって表現できる光ディスク装置１００の状態は、図２に示すように８通りである。この組み合わせは出力の有無という２通りに対し、３個の出力端子があるため２３によって求めることができる。したがって、光ディスク装置１００の状態をさらに細分化したい場合には、出力端子の数を増加することで、２（出力端子の数）とおりの状態を表現することが可能である。
【００２６】
以上説明したように、光ディスク装置１００に動作状況を出力する出力端子を複数個（本実施形態では出力端子５ａ、５ｂ、５ｃの３個）設け、当該出力端子から動作状況を出力させることで、例えば、それぞれの出力端子に直接的に発光素子が接続されれば、発光素子が１個であった場合に比べて光ディスク装置のより多くの状態を表現することができるようになる。また、ＡＴＡやＵＳＢ等で規格化された通信路を使用するより、このような単純な構成によって入出力に伴う必要な負荷が低く抑えられ、設計も簡便でありながら、多くの動作状況を表現することが可能である。
【００２７】
また、光ディスク措置１００とは別に、光ディスク装置１００の状態を出力する外部表示装置２００を光ディスク装置１００に接続し、当該外部表示装置２００に発光素子を設けても同様の効果を得ることができる。さらに、外部表示装置２００が付属品であるため、いわゆる単純質素な光ディスク装置を好むユーザであれば、本実施形態のような外部表示装置２００を使用しないでもよく、装飾的な光ディスク装置を好むユーザが外部表示装置２００を使用すればよい。すなわち、外部表示装置２００を付属品とすることで、ユーザの嗜好に合わせた使用方法を提供することができる。
【００２８】
（第２実施形態）
次に、本発明の第２実施形態に係る光ディスク装置について図面を参照して詳細に説明する。なお、図１に示される光ディスク装置の各部と同様の構成には同一符号を付し、その説明を省略し、後述する図面においても同様とする。
【００２９】
図３は、本発明の第２実施形態にかかる光ディスク装置３００を模式的に示す側面図であり、また、図４は、本発明の第２実施形態にかかる光ディスク装置３００を模式的に示す他の側面図である。図３に示すように、光ディスク装置３００には、第１実施形態と同様、通信路１を介してマザーボード３が接続される。第２実施形態においても、マザーボード３を搭載する入出力装置は当該通信路１を介して光ディスク装置３００にアクセスし、光ディスクに記録されるデータの送受信等を行う。
【００３０】
また、光ディスク装置３００の背面には、外部に配置される表示入力装置（外部表示入力装置という。）４００から第１の通信路２０を介して出力される入力信号を入力する入力端子２３及び光ディスク装置３００の動作状況を第２の通信路２２を介して出力する出力端子２１が天井面から底面にかけて並んで配置されている。なお、第１の通信路２０と第２の通信路２２で用いる通信は、シリアル通信（非同期、同期）やＩ２Ｃ(Inter Integrated Circuit)などの通信路１に比較して通信速度も回路規模もプロトコルの内容も簡易のものであり、通信の手段によっては通信線が２本以外になる場合もあるが要求方向と応答方向の２つの向きが概念的にあるという意味で第１の通信路２０と第２の通信路２２が定義される。出力端子２１及び入力端子２３のそれぞれ一方は、光ディスク装置３００に内蔵される制御回路基板７に接続され、それぞれ他方は、外部に配置される外部表示入力装置４００に接続される。
【００３１】
外部表示入力装置４００の側面前方には、前方に向かって支持部材２５が取り付けられており、当該支持部材２５の先方には、光ディスク装置３００の状態等を表示するとともに、所望の操作・入力が可能な表示入力手段２７が回動可能に取り付けられている。
【００３２】
表示入力手段２７の前面には、発光素子９ａ、９ｂ、９ｃ、９ｄが天井面から底面にかけて並んで配置され、さらに、発光素子９ｄの下方にはスイッチ２９が配置されている。これらの発光素子９ａ〜９ｄ及びスイッチ２９は、外部表示入力装置４００に内蔵される制御回路基板１１に接続される。
【００３３】
スイッチ２９は表示入力手段２７を移動させ、ディスクトレイ３１を排出させるスイッチである。すなわち、ディスクトレイ２９が排出されていない状態（以下、通常動作時形態という。）では、図３に示すように、表示入力手段２７は支持部材２５に対して垂直方向に配置されるが、スイッチ２９が押されることでディスクトレイ３１が前方に排出されるとともに、表示入力手段２７は水平となるように底面が弧を描くように上方に移動し、ディスクトレイ３１の排出が完了した状態（以下、トレイイジェクト時形態という。）では、図４に示すように、表示入力手段２７は水平となって停止する。また、トレイイジェクト時形態において、スイッチ２９が押されると、上述した動作と逆の動作を行って通常動作時形態に移行する。
【００３４】
外部表示入力装置４００の背面には、スイッチ２９から出力される出力端子３５及び光ディスク装置３００から動作状況が入力される入力端子３３が天井面から底面にかけて並んで配置されている。出力端子３５及び入力端子３３のそれぞれ一方は、外部表示入力装置４００に内蔵される制御回路基板１１に接続され、それぞれ他方は、光ディスク装置３００に接続される。
【００３５】
このように構成された光ディスク装置３００では、通常動作時形態において、光ディスク装置３００の動作状況が出力端子２１から出力され、外部表示入力装置４００の入力端子３３に入力され、当該動作状況に基づいて制御回路基板１１が発光素子９ａ〜９ｄの点灯、消灯を制御する。
【００３６】
また、表示入力手段２７に設けられたスイッチ２９がユーザによって押されると、制御回路基板１１がその旨を検出し、信号として出力端子３５から光ディスク装置３００の入力端子２３に向けて出力する。これと同期して、制御回路基板１１は表示入力手段２７をトレイイジェクト時形態となるように動作させる。当該動作は、例えば、支持部材２５に設けられたギヤ等を駆動して行われる。さらに、光ディスク装置３００の制御回路基板７は外部表示入力装置４００からの信号を受信すると、ディスクトレイ３１を前方に排出する。
【００３７】
以上説明した第２実施形態にかかる光ディスク装置３００では、第１実施形態で説明した外部表示装置２００では複数の発光素子９ａ〜９ｄを設け出力のみを行うのに対し、第２実施形態で説明した外部表示入力装置４００ではさらにスイッチ２９を設けて入力及び出力を行う点で相違する。
【００３８】
したがって、上述した入出力に伴った出力端子２１及び入力端子２３を光ディスク装置３００に設けることで、光ディスク装置３００のトレイ３１を排出させる等、光ディスク装置３００の拡張的な使用が可能となる。
【００３９】
（第３実施形態）
次に、本発明の第３実施形態に係る光ディスク装置について図面を参照して詳細に説明する。
【００４０】
図５は、本発明の第３実施形態にかかる光ディスク装置３００を模式的に示す側面図である。本実施形態にかかる光ディスク装置３００は第２実施形態において説明した光ディスク装置３００と同様の構成を有し、外部表示入力装置５００が第２実施形態において説明した外部表示入力装置４００と相違する。なお、通信路１及びマザーボード３は省略する。
【００４１】
外部表示入力装置５００の前面には、表示入力手段３７とスイッチ２９とが同一平面上に形成される。表示入力手段３７には、光ディスク装置３００に搭載されるディスクトレイを排出させるスイッチ２９と、光ディスク装置３００に対する要求を適宜選択できる複数のスイッチ３９が形成され、当該スイッチ３９はすべて周辺制御ＩＣ１７に接続される。
【００４２】
また、外部表示入力装置５００の天井面には、スピーカ等の音声出力部４１が配置され、周辺制御ＩＣ１７に接続される。音声出力部４１は光ディスク装置３００内で駆動する音楽ＣＤの音声を出力したり、光ディスク装置３００の動作状況を音声で出力したりする機能を有する。
【００４３】
さらに、上述した表示入力手段３７について図面を参照して詳細に説明する。図６は表示入力手段３７の正面図である。図６に示すように、表示入力手段３７は、スイッチ３９ａ〜３９ｅと、ＬＣＤ（Liquid Crystal Display：液晶ディスプレイ）などの表示部４３とを備える。
【００４４】
スイッチ３９ａは読み込み処理速度を切替えるスイッチである。一般に、書き込みの品質が粗悪な光ディスクや、傷のある光ディスクに対し光ディスク装置が高速の読み込み処理を行う場合、正確に読み込み処理が行えずに失敗する可能性が高い。このような場合には、光ディスク装置は読み込み処理速度を段階的に減速し、読み込み処理が行える程度にまで減速する処理が行われるが、読み込み処理が正常に行われない可能性が高いことをユーザが予め認識している場合には、段階的な減速を光ディスク装置に行わせることは処理に時間がかかる。したがって、スイッチ３９ａは光ディスクの読み込み処理速度を切替える機能を有しており、指定された処理速度で読み込み処理が可能となる。指定された読み込み処理速度は表示部４３に表示され、例えば、本実施形態においては「Ｒ：２×」と表示され、２倍速の読み込み処理が行われるということをユーザは視認できる。
【００４５】
スイッチ３９ｂは書き込み処理速度を切替えるスイッチである。上述した内容と同様、書き込みの品質が粗悪な光ディスク等に対し光ディスク装置が高速の書き込み処理を行う場合、正確に書き込み処理が行えずに失敗する可能性が高い。このような場合には、光ディスク装置は書き込み処理速度を段階的に減速し、書き込み処理が行える程度にまで減速する処理が行われるが、書き込み処理が正常に行われない可能性が高いことをユーザが予め認識している場合には、段階的な減速を光ディスク装置に行わせることは処理に時間がかかる。したがって、スイッチ３９ｂは光ディスクの書き込み処理速度を切替える機能を有しており、指定された処理速度で書き込み処理が可能となる。指定された書き込み処理速度は表示部４３に表示され、例えば、本実施形態においては「Ｗ：８×」と表示され、８倍速の書き込み処理が行われるということをユーザは視認できる。
【００４６】
スイッチ３９ｃは、光ディスク装置３００の駆動速度を低下させるスイッチである。例えば、光ディスク装置３００が読み込み処理速度を２倍速より速い速度で読み込み処理を行った場合、風切り音が耳障りであったり、ディスクトレイ３１の排出・挿入音が耳障りであったりする場合、読み込み処理速度を２倍速に限定したり、ディスクトレイ３１の排出・挿入の動作速度を低下させることで、これらの駆動によって生じる駆動音を低減させることが可能となり、夜間等の使用にも好適である。
【００４７】
当該スイッチ３９ｃはＯｎ／Ｏｆｆで切り替わり、指定されたＯｎ／Ｏｆｆは表示部４３に表示される。例えば、本実施形態においては「Ｏｆｆ」と表示され、光ディスク装置３００の駆動速度を低下させないということをユーザは視認できる。なお、スイッチ３９ｃにおいてＯｎが選択された場合には、上述した読み込み処理速度及び書き込み処理速度は、例えば、２倍速に限定される。また、当該スイッチ３９ｃは、静音と引き換えに動作速度を犠牲にしているため、パフォーマンスを求める場合は、スイッチ３９ｃをＯｆｆとすることが好ましい。
【００４８】
スイッチ３９ｄは、カーソルスイッチである。例えば、スイッチ３９ｄを押すことで表示部４３の表示内容を切替えることが可能である。スイッチ３９ｅは、上述したスイッチ３９ａ〜３９ｃの指定を確定するか取り止めるかのスイッチである。具体的には、スイッチ３９ａ〜３９ｃで指定した各内容を確定する場合には「ＯＫ」が押され、取り止める場合には「Ｃａｎｃｅｌ」が押される。なお、ディスクトレイ３１を排出・挿入させるスイッチ２９は、図５において表示入力手段３７と別の構成としたが、図６に示すように一体形成することも可能である。また、表示部４３は、現在の読み込み処理速度、書き込み処理速度以外にも、ＣＤやＤＶＤ等の光ディスクの種類、光ディスクの容量、等の情報を表示する。
【００４９】
上述したように、本実施形態にかかる光ディスク装置３００には、外部表示入力装置５００が接続され、当該外部表示入力装置５００には各種スイッチ３９ａ〜３９ｅ及び表示部４３が形成される。従来では、光ディスク装置３００の動作状況等を、光ディスク装置３００に接続されたＰＣのディスプレイ等で表示したり、ＰＣに記憶されたアプリケーションソフトを通じて光ディスク装置３００に指示・要求を出力したりしていたが、本実施形態のように、直接スイッチ３９ａ〜３９ｃによって動作を切替えるほうが処理は速い。また、表示部４３までの通信路２０、２２が短いために、データ転送速度に及ぼす影響は無視できるほどに小さく、データを表示するまでの時間が短くてすむという利点がある。
【００５０】
次に上述した光ディスク装置３００と外部表示入力装置５００とのデータ転送の仕組みについて図面を参照して説明する。
【００５１】
図７は、光ディスク装置３００と外部表示入力装置５００のデータ通信を示す概念図である。図７に示すように、ユーザから外部表示入力装置５００に所望の要求を入力すると、外部表示入力装置５００は光ディスク装置３００に対し要求コマンドを出力する。これを受信する光ディスク装置３００は、要求コマンドに対応する応答コマンドを外部表示入力装置５００に出力する。すなわち、外部表示入力装置５００から要求コマンドが出力されない場合には、応答コマンドが出力されることはない。
【００５２】
上述した要求コマンドと応答コマンドは具体的に図８に示す表によって表される。例えば、ユーザによって光ディスク装置の状態が要求されれば、外部表示入力装置５００はその旨の要求コマンドを光ディスク装置３００に出力する。当該要求コマンドを受信した光ディスク装置３００は光ディスク装置の状態結果を示す応答コマンドを出力し、外部表示入力装置５００に出力する。このように要求コマンドと応答コマンドとの通信によって、ユーザは光ディスク装置３００の状態等を外部表示入力装置５００の表示部４３によって視認することが可能である。この要求コマンドまたは応答コマンドのパケットは、例えば、図９に示すようなデータ構造を有している。
【００５３】
このように構成された外部表示入力装置５００の動作について図１０に示すフローチャートを参照して簡単に説明する。なお、図１０において説明する各処理は、ＣＰＵ等の処理装置あるいはそこで実行されるプログラム、およびハードディスク等の記憶装置等により実現される。
【００５４】
まず、外部表示入力装置５００の電源がオンとなると（Ｓ１０１）、外部表示入力装置５００に搭載された制御部１３は初期化される（Ｓ１０２）。その後、光ディスク装置３００に接続中である旨を表示部４３に出力し（Ｓ１０３）、外部表示入力装置５００と光ディスク装置３００との通信確認を行うためのテストコマンドを外部表示入力装置５００から出力する（Ｓ１０４）。
【００５５】
当該テストコマンドに対し、光ディスク装置３００から応答コマンドがなかった場合には（Ｓ１０５：Ｎｏ）、再度テストコマンドを発行する（Ｓ１０４）。テストコマンドに対し、光ディスク装置３００から応答コマンドがあった場合には（Ｓ１０５：Ｙｅｓ）、次に光ディスク装置３００の状態を取得する状態コマンドを発行する（Ｓ１０６）。
【００５６】
当該状態コマンドに対し、光ディスク装置３００から応答コマンドがなかった場合には（Ｓ１０７：Ｎｏ）、Ｓ１０２の処理に戻る。状態コマンドに対し、光ディスク装置３００から応答コマンドがあった場合には（Ｓ１０７：Ｙｅｓ）、取得した応答コマンドに組み込まれた状態のデータを表示部４３に出力する（Ｓ１０８）。
【００５７】
ここで、ユーザによって表示入力手段３７のスイッチ３９ａ等が押された場合、光ディスク装置３００に対し要求の入力があったものと認識し（Ｓ１０９：Ｙｅｓ）、その要求を表示部４３に出力し（Ｓ１１０）、当該要求のコマンドを光ディスク装置３００に対し発行する（Ｓ１１１）。なお、ユーザから何も要求がない場合には（Ｓ１０９：Ｎｏ）、Ｓ１０６に戻る。
【００５８】
当該要求コマンドに対し、光ディスク装置３００から応答コマンドがなかった場合には（Ｓ１１２：Ｎｏ）、Ｓ１０２の処理に戻る。要求コマンドに対し、光ディスク装置３００から応答コマンドがあった場合には（Ｓ１１２：Ｙｅｓ）、当該要求コマンドに対し取得した応答コマンドに組み込まれた応答結果のデータを表示部４３に出力する（Ｓ１１３）。そして、出力後、電源がオフとなった場合には（Ｓ１１４：Ｙｅｓ）、処理を終了するが、そうでない場合には、Ｓ１０６に戻る。
【００５９】
このように光ディスク装置３００では、ユーザが外部表示入力装置５００の表示入力手段３７を操作すると、その操作に基づく要求コマンドが光ディスク装置３００に出力される。当該要求コマンドを受信した光ディスク装置３００は、当該要求コマンドに対応した応答コマンドを出力する。当該応答コマンドには、図８に示すような結果のデータが図９に示すコマンドパケットのＤＡＴＡに組み込まれる。応答コマンドを受信した外部表示入力装置５００は、表示入力手段３７の表示部４３に応答コマンドに組み込まれた結果のデータを出力する。このような仕組みによって、ユーザは光ディスク装置３００の詳細な動作状況等を視認することが可能となる。
【００６０】
なお、本発明は、上述した第１実施形態から第３実施形態に限定されるものではなく、その要旨を逸脱しない範囲内で種々変形して実施することが可能である。例えば、上述した実施形態では、３つの出力端子を使用した場合について説明したが、出力端子の数は３つに限られず、それ以上の個数を使用して、それぞれに異なる発光素子を接続してもよい。
【００６１】
複数の発光素子を組み合わせ、発光素子の発色をユーザの所望の発色に変更することも可能である。出力端子の設置場所に関しても、背面に限られず、入出力装置用筐体に対し接触妨害とならない範囲で側面や天井面等に設置してもよく、出力端子や入力端子の位置・大きさ・範囲はこれに限るものではない。
【００６２】
また、第３実施形態において説明した表示入力手段３７の各種スイッチ３９ａから３９ｅについてもこれに限るものではない。例えば、光ディスクに対する書き込み処理時の線速度を設定するスイッチや、書き込み処理時にデータをスクランブル化するか否かを切替えるスイッチを設けてもよい。これらのスイッチを設けることで、記録密度を変更したり、機密データの書き込み処理したりすることができる。
【産業上の利用可能性】
【００６３】
以上説明したように、本発明に係る表示装置及び表示入力装置よれば、単純な構成を維持しつつ、低価格であって、動作状況を的確に表現できるとともに、きめ細やかな指示・操作が可能となり産業上の利用可能性が高い。
【図面の簡単な説明】
【００６４】
【図１】図１は、第１実施形態における光ディスク装置の構成を示す側面図である。
【図２】図２は、出力端子の出力と光ディスク装置の状態との関係を示す表である。
【図３】図３は、第２実施形態における光ディスク装置の構成を示す側面図である。
【図４】図４は、第２実施形態における光ディスク装置の構成を示す他の側面図である。
【図５】図５は、第３実施形態における光ディスク装置の構成を示す側面図である。
【図６】図６は、表示入力手段の正面図である。
【図７】図７は、光ディスク装置と外部表示入力装置とのデータ通信における概念図である。
【図８】図８は、要求コマンドと応答コマンドとの関係を示す表である。
【図９】図９は、コマンドパケットのデータ構造である。
【図１０】図１０は、外部表示入力装置の動作を示すフローチャートである。
【図１１】図１１は、光ディスク装置の斜視図である。
【符号の説明】
【００６５】
１  通信路
３  マザーボード
５ａ、５ｂ、５ｃ、２１、３５  出力端子
７  制御回路基板
９ａ、９ｂ、９ｃ、９ｄ  発光素子
１１  制御回路基板
１３  制御部
１５  記憶部
１７  周辺制御ＩＣ
１８ａ、１８ｂ、１８ｃ  通信路
１９ａ、１９ｂ、１９ｃ、２３、３３  入力端子
２０  第１の通信路
２２  第２の通信路
２５  支持部材
２７、３７  表示入力手段
２９、３９、３９ａ、３９ｂ、３９ｃ、３９ｄ、３９ｅ  スイッチ
３１、４６  ディスクトレイ
４１  音声出力部
４３  表示部
４５  アクセスランプ
４７  排出ボタン
４９  トレイベゼル（化粧板）
１００、３００、６００  光ディスク装置
２００  表示装置
４００、５００  表示入力装置
【図１】
2008010054.tif 000003
【図２】
2008010054.tif 000004
【図３】
2008010054.tif 000005
【図４】
2008010054.tif 000006
【図５】
2008010054.tif 000007
【図６】
2008010054.tif 000008
【図７】
2008010054.tif 000009
【図８】
2008010054.tif 000010
【図９】
2008010054.tif 000011
【図１０】
2008010054.tif 000012
【図１１】
2008010054.tif 000013